(57)【要約】  分散予測によって電力網を最適化するための技術が開示される。少なくとも１つの例示的な実施形態において、電力網は、複数の電力網コンポーネントと、複数の電力網コンポーネントのうち１つに各々関連付けられた複数のコンピュータ装置とを含むことができる。複数のコンピュータ装置の各コンピュータ装置は、関連付けられた電力網コンポーネントの１つ以上の状況の測定値を取得し、関連付けられた電力網コンポーネントの１つ以上の状況の将来状態を予測し、予測に基づいて、複数のコンピュータ装置のうち他のコンピュータ装置と無線通信することによって、関連付けられた電力網コンポーネントの挙動を協議するように構成されてもよい。
2021529502.tif 000002
【特許請求の範囲】
【請求項１】
電力網であって、
複数の電力網コンポーネントと、
前記複数の電力網コンポーネントのうち１つに各々関連付けられた複数のコンピュータ装置とを含み、
前記複数のコンピュータ装置の各コンピュータ装置は、（ｉ）前記関連付けられた電力網コンポーネントの１つ以上の状況の測定値を取得し、（ｉｉ）前記関連付けられた電力網コンポーネントの前記１つ以上の状況の将来状態を予測し、および（ｉｉｉ）前記予測に基づいて、前記複数のコンピュータ装置のうち他のコンピュータ装置と無線通信することによって、前記関連付けられた電力網コンポーネントの挙動を協議するように構成される、電力網。
【請求項２】
前記複数のコンピュータ装置の各コンピュータ装置は、前記複数の電力網コンポーネントのうち１つに通信可能に連結される、請求項１に記載の電力網。
【請求項３】
前記複数のコンピュータ装置の各コンピュータ装置は、前記複数の電力網コンポーネントのうち１つと一体化される、請求項１に記載の電力網。
【請求項４】
前記複数の電力網コンポーネントに連結された複数のセンサをさらに含み、
前記関連付けられた電力網コンポーネントの前記１つ以上の状況の測定値を取得することは、前記複数のセンサのうち１つ以上から前記１つ以上の状況の測定値を受信することを含む、先行する請求項のいずれか一項に記載の電力網。
【請求項５】
前記複数のセンサは、電圧センサ、電流センサ、温度センサ、風速センサ、および湿度センサのうち１つ以上を含む、請求項４に記載の電力網。
【請求項６】
前記関連付けられた電力網コンポーネントの前記１つ以上の状況の測定値を取得することは、前記関連付けられた電力網コンポーネントの電力消費量を測定することを含む、先行する請求項のいずれか一項に記載の電力網。
【請求項７】
前記関連付けられた電力網コンポーネントの前記１つ以上の状況の測定値を取得することは、前記関連付けられた電力網コンポーネントの電力生成量を測定することを含む、先行する請求項のいずれか一項に記載の電力網。
【請求項８】
前記関連付けられた電力網コンポーネントの前記１つ以上の状況の測定値を取得することは、１つ以上の局所気象状況を測定することを含む、先行する請求項のいずれか一項に記載の電力網。
【請求項９】
前記複数のコンピュータ装置の各コンピュータ装置は、前記複数のコンピュータ装置のうち他のコンピュータ装置から、他の電力網コンポーネントの１つ以上の状況の測定値を受信するようにさらに構成されている、先行する請求項のいずれか一項に記載の電力網。
【請求項１０】
受信した前記測定値は、前記他の電力網コンポーネントの電力消費量データ、電力生成量データおよび局所気象データのうち少なくとも１つを含む、請求項９に記載の電力網。
【請求項１１】
各コンピュータ装置によって予測された前記電力網コンポーネントの前記１つ以上の状況の前記将来状態は、将来の１〜６０分間の状態である、先行する請求項のいずれか一項に記載の電力網。
【請求項１２】
各コンピュータ装置によって予測された前記電力網コンポーネント予測の前記１つ以上の状況の前記将来状態は、将来の１分未満の状態である、請求項１から１０のいずれか一項に記載の電力網。
【請求項１３】
前記１つ以上の状況の前記将来状態を予測することは、時系列予測技術を使用することを含む、先行する請求項のいずれか一項に記載の電力網。
【請求項１４】
前記１つ以上の状況の前記将来状態は、前記関連付けられた電力網コンポーネントの前記１つ以上の状況の前記測定値に基づいて予測される、先行する請求項のいずれか一項に記載の電力網。
【請求項１５】
前記１つ以上の状況の前記将来状態は、さらに、前記他の電力網コンポーネントから受信した前記１つ以上の状況の前記測定値に基づいて予測される、請求項１４に記載の電力網。
【請求項１６】
前記１つ以上の状況の前記将来状態は、さらに、前記１つ以上の状況に関連する履歴データに基づいて予測される、請求項１４または請求項１５に記載の電力網。
【請求項１７】
前記予測に基づいて、前記関連付けられた電力網コンポーネントの前記挙動を協議することは、前記複数の電力網コンポーネントを含む前記電力網のサブセクションを局所的に最適化することを含む、先行する請求項のいずれか一項に記載の電力網。
【請求項１８】
前記電力網の前記サブセクションを局所的に最適化することは、前記複数の電力網コンポーネントからの総電力生成量を最大化することを含む、請求項１７に記載の電力網。
【請求項１９】
前記電力網の前記サブセクションを局所的に最適化することは、前記複数の電力網コンポーネントに関連する総エネルギーコストを最小化することを含む、請求項１７に記載の電力網。
【請求項２０】
前記電力網の前記サブセクションを局所的に最適化することは、前記複数の電力網コンポーネントに関連する総エネルギー損失を最小化することを含む、請求項１７に記載の電力網。
【請求項２１】
前記電力網の前記サブセクションを局所的に最適化することは、前記複数の電力網コンポーネントの利用可能性を最大化することを含む、請求項１７に記載の電力網。
【請求項２２】
前記複数のコンピュータ装置は、１つ以上の機械学習技術を用いて互いに協議するように構成される、先行する請求項のいずれか一項に記載の電力網。
【請求項２３】
前記１つ以上の機械学習技術は、複数の自律エージェントを含み、
前記複数の自律エージェントの各々は、前記複数のコンピュータ装置のうち１つによって実行される、請求項２２に記載の電力網。
【請求項２４】
複数の自律エージェントは、仮想市場において、取引アルゴリズムに従って互いに協議する、請求項２３に記載の電力網。
【請求項２５】
前記１つ以上の機械学習技術は、複数のニューラルネットワークを含み、
前記複数のニューラルネットワークの各々は、前記複数のコンピュータ装置のうち１つによって実行される、請求項２２から２４のいずれか一項に記載の電力網。
【請求項２６】
前記複数のニューラルネットワークの各々は、フィードフォワードニューラルネットワーク、ラジアル基底関数ニューラルネットワーク、クローン自己組織化ニューラルネットワーク、リカレントニューラルネットワーク、モジュラーニューラルネットワーク、および物理ニューラルネットワークのうち１つを含む、請求項２５に記載の電力網。
【請求項２７】
前記複数の電力網コンポーネントのうち少なくとも一部は、分散型エネルギー資源である、先行する請求項のいずれか一項に記載の電力網。
【請求項２８】
前記分散型エネルギー資源は、１つ以上の再生可能なエネルギー源からの電力を前記電力網に供給する、請求項２７に記載の電力網。
【請求項２９】
前記分散型エネルギー資源は、太陽電池パネルアレイ、風力タービン、水力発電所、バイオマス発電所、地熱発電所、および水素燃料電池発電所のうち少なくとも１つを含む、請求項２７に記載の電力網。
【請求項３０】
前記複数の電力網コンポーネントのうち１つは、前記複数の電力網コンポーネントの残りの電力網コンポーネントを電気的に接続するための配電変電所である、先行する請求項のいずれか一項に記載の電力網。
【請求項３１】
前記配電変電所は、１つ以上の変圧器を含む、請求項３０に記載の電力網。
【請求項３２】
前記複数のコンピュータ装置に１つ以上の制約を提供するように構成されたセントラルコントローラをさらに含む、先行する請求項のいずれか一項に記載の電力網。
【請求項３３】
前記１つ以上の制約は、電力制約、経済制約、気象制約、および時間制約のうち少なくとも１つを含む、請求項３２に記載の電力網。
【請求項３４】
前記関連付けられた電力網コンポーネントの前記挙動を協議することは、前記セントラルコントローラから受信した前記１つ以上の制約に基づいて前記挙動を協議することを含む、請求項３２または請求項３３に記載の電力網。
【請求項３５】
前記セントラルコントローラは、前記複数の電力網コンポーネントの前記挙動を設定しないように構成されている、請求項３２から３４のいずれか一項に記載の電力網。
【請求項３６】
前記セントラルコントローラは、１つ以上の上書きコマンドを前記複数のコンピュータ装置のうち１つ以上に提供するようにさらに構成されている、請求項３２から３５のいずれか一項に記載の電力網。
【請求項３７】
前記１つ以上の上書きコマンドは、前記関連付けられた電力網コンポーネントの電力消費量を低減するためのコマンド、前記電力網から前記関連付けられた電力網コンポーネントを切り離すためのコマンド、および前記関連付けられた電力網コンポーネントの前記挙動の前記協議を停止するためのコマンドのうち少なくとも１つを含む、請求項３６に記載の電力網。
【請求項３８】
方法であって、
コンピュータ装置が、前記コンピュータ装置に関連付けられた電力網コンポーネントの１つ以上の状況の測定値を取得することと、
前記コンピュータ装置が、前記コンピュータ装置に関連付けられた電力網コンポーネントの前記１つ以上の状況の将来状態を予測することと、
前記コンピュータ装置が、他の電力網コンポーネントに関連付けられた他のコンピュータ装置と無線通信することによって、前記予測に基づいて、前記コンピュータ装置に関連付けられた電力網コンポーネントの挙動を協議することとを含む、方法。
【請求項３９】
各コンピュータ装置は、自身に関連付けられた電力網コンポーネントに通信可能に連結される、請求項３８に記載の方法。
【請求項４０】
各コンピュータ装置は、自身に関連付けられた電力網コンポーネントと一体化される、請求項３８に記載の方法。
【請求項４１】
前記関連付けられた電力網コンポーネントの前記１つ以上の状況の測定値を取得することは、前記関連付けられた電力網コンポーネントに取り付けられた１つ以上のセンサから測定値を受信することを含む、請求項３８から４０のいずれか一項に記載の方法。
【請求項４２】
前記１つ以上のセンサは、電圧センサ、電流センサ、温度センサ、風速センサ、および湿度センサのうち少なくとも１つを含む、請求項４１に記載の方法。
【請求項４３】
前記関連付けられた電力網コンポーネントの前記１つ以上の状況の測定値を取得することは、前記関連付けられた電力網コンポーネントの電力消費量の測定値を取得することを含む、請求項３８から４２のいずれか一項に記載の方法。
【請求項４４】
前記関連付けられた電力網コンポーネントの前記１つ以上の状況の測定値を取得することは、前記関連付けられた電力網コンポーネントの電力生成量の測定値を取得することを含む、請求項３８から４３のいずれか一項に記載の方法。
【請求項４５】
前記関連付けられた電力網コンポーネントの前記１つ以上の状況の測定値を取得することは、１つ以上の局所気象状況の測定値を取得することを含む、請求項３８から４４のいずれか一項に記載の方法。
【請求項４６】
前記コンピュータ装置が前記他のコンピュータ装置から前記他の電力網コンポーネントの１つ以上の状況の測定値を受信することをさらに含む、請求項３８から４５のいずれか一項に記載の方法。
【請求項４７】
受信した前記測定値は、前記他の電力網コンポーネントの電力消費量データ、電力生成量データ、および局所気象データのうち少なくとも１つを含む、請求項４６に記載の方法。
【請求項４８】
前記コンピュータ装置によって予測された前記電力網コンポーネントの前記１つ以上の状況の前記将来状態は、将来の１〜６０分間の状態である、請求項３８から４７のいずれか一項に記載の方法。
【請求項４９】
前記コンピュータ装置によって予測された前記電力網コンポーネントの前記１つ以上の状況の前記将来状態は、将来の１分未満の状態である、請求項３８から４７のいずれか一項に記載の方法。
【請求項５０】
前記１つ以上の状況の前記将来状態を予測することは、時系列予測を使用することを含む、請求項３８から４９のいずれか一項に記載の方法。
【請求項５１】
前記１つ以上の状況の前記将来状態は、取得した前記関連付けられた電力網コンポーネントの前記１つ以上の状況の前記測定値に基づいて予測される、請求項３８から５０のいずれか一項に記載の方法。
【請求項５２】
前記１つ以上の状況の前記将来状態は、さらに、受信した前記他の電力網コンポーネントの前記１つ以上の状況の前記測定値に基づいて予測される、請求項５１に記載の方法。
【請求項５３】
前記１つ以上の状況の前記将来状態は、さらに、前記１つ以上の状況に関連する履歴データに基づいて予測される、請求項５１または請求項５２に記載の方法。
【請求項５４】
前記コンピュータ装置によって管理されたデータベースから前記履歴データを取得することをさらに含む、請求項５３に記載の方法。
【請求項５５】
前記予測に基づいて、前記関連付けられた電力網コンポーネントの前記挙動を協議することは、前記関連付けられた電力網コンポーネントおよび前記他の電力網コンポーネントを含む電力網のサブセクションを局所的に最適化することを含む、請求項３８から５４のいずれか一項に記載の方法。
【請求項５６】
前記電力網の前記サブセクションを局所的に最適化することは、前記関連付けられた電力網コンポーネントおよび前記他の電力網コンポーネントからの総電力生成量を最大化することを含む、請求項５５に記載の方法。
【請求項５７】
前記電力網の前記サブセクションを局所的に最適化することは、前記関連付けられた電力網コンポーネントおよび前記他の電力網コンポーネントに関連する総エネルギーコストを最小化することを含む、請求項５５に記載の方法。
【請求項５８】
前記電力網の前記サブセクションを局所的に最適化することは、前記関連付けられた電力網コンポーネントおよび前記他の電力網コンポーネントに関連する総エネルギー損失を最小化することを含む、請求項５５に記載の方法。
【請求項５９】
前記電力網の前記サブセクションを局所的に最適化することは、前記関連付けられた電力網コンポーネントおよび前記他の電力網コンポーネントの利用可能性を最大化することを含む、請求項５５に記載の方法。
【請求項６０】
前記関連付けられた電力網コンポーネントの前記挙動を協議することは、前記コンピュータ装置が自律エージェントを実行すると、前記自律エージェントが、仮想市場において、取引アルゴリズムに従って、他のコンピュータ装置によって実行される他の自律エージェントと協議することを含む、請求項３８から５９のいずれか一項に記載の方法。
【請求項６１】
前記予測に基づいて、前記関連付けられた電力網コンポーネントの前記挙動を協議することは、前記コンピュータ装置がニューラルネットワークを実行することを含む、請求項３８から６０のいずれか一項に記載の方法。
【請求項６２】
前記ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、および物理ニューラルネットワークのうち１つを含む、請求項６１に記載の方法。
【請求項６３】
前記関連付けられた電力網コンポーネントは、分散型エネルギー資源である、請求項３８から６２のいずれか一項に記載の方法。
【請求項６４】
前記分散型エネルギー資源は、再生可能なエネルギー源からの電力を電力網に供給する、請求項６３に記載の方法。
【請求項６５】
前記分散型エネルギー資源は、太陽電池パネルアレイ、風力タービン、水力発電所、バイオマス発電所、地熱発電所、および水素燃料電池発電所のうち少なくとも１つを含む、請求項６３に記載の方法。
【請求項６６】
前記関連付けられた電力網コンポーネントは、前記他の電力網コンポーネントに電気的に接続される配電変電所である、請求項３８から６５のいずれか一項に記載の方法。
【請求項６７】
前記配電変電所は、１つ以上の変圧器を含む、請求項６６に記載の方法。
【請求項６８】
前記コンピュータ装置がセントラルコントローラから１つ以上の制約を受信することをさらに含む、請求項３８から６７のいずれか一項に記載の方法。
【請求項６９】
前記１つ以上の制約は、電力制約、経済制約、気象制約、および時間制約のうち少なくとも１つを含む、請求項６８に記載の方法。
【請求項７０】
前記関連付けられた電力網コンポーネントの前記挙動を協議することは、前記セントラルコントローラから受信した前記１つ以上の制約に基づいて前記挙動を協議することを含む、請求項６８または請求項６９に記載の方法。
【請求項７１】
前記コンピュータ装置が前記セントラルコントローラから上書きコマンドを受信することと、
前記コンピュータ装置が前記上書きコマンドを実行することとをさらに含む、請求項６８から７０のいずれか一項に記載の方法。
【請求項７２】
前記上書きコマンドは、前記関連付けられた電力網コンポーネントの電力消費量を低減するためのコマンド、前記電力網から前記関連付けられた電力網コンポーネントを切り離すためのコマンド、および前記関連付けられた電力網コンポーネントの前記挙動の前記協議を停止するためのコマンドのうち１つである、請求項７１に記載の方法。
【請求項７３】
前記他の電力網コンポーネントに関連付けられた前記他のコンピュータ装置と無線通信することは、第１サブセットの前記他のコンピュータ装置と無線通信することによって、前記第１サブセットの前記他のコンピュータ装置と協議することを含む、請求項３８から７２のいずれか一項に記載の方法。
【請求項７４】
前記他の電力網コンポーネントに関連付けられた前記他のコンピュータ装置と無線通信することは、前記第１サブセットの前記他のコンピュータ装置と無線通信した後、第２サブセットの前記他のコンピュータ装置と無線通信することによって、前記第２サブセットの前記他のコンピュータ装置と協議することをさらに含む、請求項７３に記載の方法。
【請求項７５】
前記コンピュータ装置は、前記第１サブセットの前記他のコンピュータ装置との協議が前記コンピュータ装置の最適化計画を満たしていないことに応答して、前記第２サブセットの前記他のコンピュータ装置と無線通信する、請求項７４に記載の方法。
【請求項７６】
前記第２サブセットの前記他のコンピュータ装置は、前記第１サブセットの前記他のコンピュータ装置よりも前記コンピュータ装置から地理的に離れる、請求項７４または請求項７５に記載の方法。
【請求項７７】
複数の命令を格納するための１つ以上の機械可読媒体であって、前記命令は、コンピュータ装置によって実行されると、前記コンピュータ装置に、請求項３８から７６のいずれか一項に記載の方法を実行させる、機械可読媒体。
【発明の詳細な説明】
【技術分野】
【０００１】
関連出願の参照
本願は、２０１８年７月５日に出願された米国仮特特許出願第６２／６９４４３１号の利益および優先権を主張し、その開示全体が参照により本明細書に組み込まれる。
【０００２】
技術分野
本開示は、分散予測によって電力網の動作を最適化するためのシステムおよび方法に関する。
【背景技術】
【０００３】
背景
従来の送電網の動作は、集中型方法で制御される。電力網からの測定値は、収集され、セントラルコントローラに送信される。セントラルコントローラは、データを処理し、電力生成を最適化するための計画を策定する。その後、セントラルコントローラは、計画を実行するための命令を全ての電力網コンポーネントに送信する。
【０００４】
しかしながら、電力網の複雑性および規模の増加によって、従来の方法はもはや実現できなくなった。太陽電池パネルおよび風力タービンなどの分散型エネルギー資源（ＤＥＲ）が増えており、不安定であるため、電力網の不規則性が高くなっている。現在の電力網は、分単位の制御および最適化を必要とするが、集中型方法に起因する遅延によって、このような精度を提供することができない。現在の送電システムの規模では、従来の技術を実施することができない。
【発明の概要】
【課題を解決するための手段】
【０００５】
概要
本開示の一態様によれば、電力網は、複数の電力網コンポーネントと、複数の電力網コンポーネントのうち１つに各々関連付けられた複数のコンピュータ装置とを含んでもよい。複数のコンピュータ装置の各コンピュータ装置は、（ｉ）関連付けられた電力網コンポーネントの１つ以上の状況（condition）の測定値を取得し、（ｉｉ）関連付けられた電力網コンポーネントの１つ以上の状況の将来状態を予測し、および（ｉｉｉ）予測に基づいて、複数のコンピュータ装置のうち他のコンピュータ装置と無線通信することによって、関連付けられた電力網コンポーネントの挙動を協議するように構成されてもよい。
【０００６】
いくつかの実施形態において、複数のコンピュータ装置の各コンピュータ装置は、複数の電力網コンポーネントのうち１つに通信可能に連結されてもよい。
【０００７】
いくつかの実施形態において、複数のコンピュータ装置の各コンピュータ装置は、複数の電力網コンポーネントのうち１つと一体化されてもよい。
【０００８】
いくつかの実施形態において、電力網は、複数の電力網コンポーネントに連結された複数のセンサをさらに含んでもよい。関連付けられた電力網コンポーネントの１つ以上の状況の測定値を取得することは、複数のセンサのうち１つ以上から１つ以上の状況の測定値を受信することを含んでもよい。
【０００９】
いくつかの実施形態において、複数のセンサは、電圧センサ、電流センサ、温度センサ、風速センサ、および湿度センサのうち１つ以上を含んでもよい。
【００１０】
いくつかの実施形態において、関連付けられた電力網コンポーネントの１つ以上の状況の測定値を取得することは、関連付けられた電力網コンポーネントの電力消費量を測定することを含んでもよい。
【００１１】
いくつかの実施形態において、関連付けられた電力網コンポーネントの１つ以上の状況の測定値を取得することは、関連付けられた電力網コンポーネントの電力生成量を測定することを含んでもよい。
【００１２】
いくつかの実施形態において、関連付けられた電力網コンポーネントの１つ以上の状況の測定値を取得することは、１つ以上の局所気象状況を測定することを含んでもよい。
【００１３】
いくつかの実施形態において、複数のコンピュータ装置の各コンピュータ装置は、複数のコンピュータ装置のうち他のコンピュータ装置から、他の電力網コンポーネントの１つ以上の状況の測定値を受信するようにさらに構成されてもよい。
【００１４】
いくつかの実施形態において、受信された測定値は、他の電力網コンポーネントの電力消費量データ、電力生成量データおよび局所気象データのうち少なくとも１つを含んでもよい。
【００１５】
いくつかの実施形態において、各コンピュータ装置によって予測された電力網コンポーネントの１つ以上の状況の将来状態は、将来の１〜６０分間の状態であってもよい。
【００１６】
いくつかの実施形態において、各コンピュータ装置によって予測された電力網コンポーネントの１つ以上の状況の将来状態は、将来の１分未満の状態であってもよい。
【００１７】
いくつかの実施形態において、１つ以上の状況の将来状態を予測することは、時系列予測技術を使用することを含んでもよい。
【００１８】
いくつかの実施形態において、１つ以上の状況の将来状態は、関連付けられた電力網コンポーネントの１つ以上の状況の測定値に基づいて予測されてもよい。
【００１９】
いくつかの実施形態において、１つ以上の状況の将来状態は、さらに、他の電力網コンポーネントから受信した１つ以上の状況の測定値に基づいて予測されてもよい。
【００２０】
いくつかの実施形態において、１つ以上の状況の将来状態は、さらに、１つ以上の状況に関連する履歴データに基づいて予測されてもよい。
【００２１】
いくつかの実施形態において、予測に基づいて、関連付けられた電力網コンポーネントの挙動を協議することは、複数の電力網コンポーネントを含む電力網のサブセクションを局所的に最適化することを含んでもよい。
【００２２】
いくつかの実施形態において、電力網のサブセクションを局所的に最適化することは、複数の電力網コンポーネントからの総電力生成量を最大化することを含んでもよい。
【００２３】
いくつかの実施形態において、電力網のサブセクションを局所的に最適化することは、複数の電力網コンポーネントに関連する総エネルギーコストを最小化することを含んでもよい。
【００２４】
いくつかの実施形態において、電力網のサブセクションを局所的に最適化することは、複数の電力網コンポーネントに関連する総エネルギー損失を最小化することを含んでもよい。
【００２５】
いくつかの実施形態において、電力網のサブセクションを局所的に最適化することは、複数の電力網コンポーネントの利用可能性を最大化することを含んでもよい。
【００２６】
いくつかの実施形態において、複数のコンピュータ装置は、１つ以上の機械学習技術を用いて互いに協議するように構成されてもよい。
【００２７】
いくつかの実施形態において、１つ以上の機械学習技術は、複数の自律エージェントを含んでもよく、複数の自律エージェントの各々は、複数のコンピュータ装置のうち１つによって実行されてもよい。
【００２８】
いくつかの実施形態において、複数の自律エージェントは、仮想市場において、取引アルゴリズムに従って互いに協議してもよい。
【００２９】
いくつかの実施形態において、１つ以上の機械学習技術は、複数のニューラルネットワークを含んでもよく、複数のニューラルネットワークの各々は、複数のコンピュータ装置のうち１つによって実行されてもよい。
【００３０】
いくつかの実施形態において、複数のニューラルネットワークの各々は、フィードフォワードニューラルネットワーク、ラジアル基底関数ニューラルネットワーク、クローン自己組織化ニューラルネットワーク、リカレントニューラルネットワーク、モジュラーニューラルネットワーク、および物理ニューラルネットワークのうち１つを含んでもよい。
【００３１】
いくつかの実施形態において、複数の電力網コンポーネントのうち少なくとも一部は、分散型エネルギー資源であってもよい。
【００３２】
いくつかの実施形態において、分散型エネルギー資源は、１つ以上の再生可能なエネルギー源からの電力を電力網に供給することができる。
【００３３】
いくつかの実施形態において、分散型エネルギー資源は、太陽電池パネルアレイ、風力タービン、水力発電所、バイオマス発電所、地熱発電所、および水素燃料電池発電所のうち少なくとも１つを含んでもよい。
【００３４】
いくつかの実施形態において、複数の電力網コンポーネントのうち１つは、複数の電力網コンポーネントのうち他の電力網コンポーネントを電気的に接続するための配電変電所であってもよい。
【００３５】
いくつかの実施形態において、配電変電所は、１つ以上の変圧器を含んでもよい。
いくつかの実施形態において、電力網は、複数のコンピュータ装置に１つ以上の制約を提供するように構成されたセントラルコントローラをさらに含んでもよい。
【００３６】
いくつかの実施形態において、１つ以上の制約は、電力制約、経済制約、気象制約、および時間制約のうち少なくとも１つを含んでもよい。
【００３７】
いくつかの実施形態において、関連付けられた電力網コンポーネントの挙動を協議することは、セントラルコントローラから受信した１つ以上の制約に基づいて挙動を協議することを含んでもよい。
【００３８】
いくつかの実施形態において、セントラルコントローラは、複数の電力網コンポーネントの挙動を設定しないように構成されている。
【００３９】
いくつかの実施形態において、セントラルコントローラは、１つ以上の上書きコマンドを複数のコンピュータ装置のうち１つ以上に提供するようにさらに構成されてもよい。
【００４０】
いくつかの実施形態において、１つ以上の上書きコマンドは、関連付けられた電力網コンポーネントの電力消費量を低減するためのコマンド、電力網から関連付けられた電力網コンポーネントを切り離すためのコマンド、および関連付けられた電力網コンポーネントの挙動の協議を停止するためのコマンドのうち少なくとも１つを含んでもよい。
【００４１】
本開示の別の態様によれば、方法は、コンピュータ装置がコンピュータ装置に関連付けられた電力網コンポーネントの１つ以上の状況の測定値を取得することと、コンピュータ装置がコンピュータ装置に関連付けられた電力網コンポーネントの１つ以上の状況の将来状態を予測することと、コンピュータ装置が他の電力網コンポーネントに関連付けられた他のコンピュータ装置と無線通信することによって、予測に基づいて、コンピュータ装置に関連付けられた電力網コンポーネントの挙動を協議することとを含むことができる。
【００４２】
いくつかの実施形態において、各コンピュータ装置は、関連付けられた電力網コンポーネントに通信可能に連結されてもよい。
【００４３】
いくつかの実施形態において、各コンピュータ装置は、関連付けられた電力網コンポーネントと一体化されてもよい。
【００４４】
いくつかの実施形態において、関連付けられた電力網コンポーネントの１つ以上の状況の測定値を取得することは、関連付けられた電力網コンポーネントに取り付けられた１つ以上のセンサから測定値を受信することを含んでもよい。
【００４５】
いくつかの実施形態において、１つ以上のセンサは、電圧センサ、電流センサ、温度センサ、風速センサ、および湿度センサのうち少なくとも１つを含んでもよい。
【００４６】
いくつかの実施形態において、関連付けられた電力網コンポーネントの１つ以上の状況の測定値を取得することは、関連付けられた電力網コンポーネントの電力消費量の測定値を取得することを含んでもよい。
【００４７】
いくつかの実施形態において、関連付けられた電力網コンポーネントの１つ以上の状況の測定値を取得することは、関連付けられた電力網コンポーネントの電力生成量の測定値を取得することを含んでもよい。
【００４８】
いくつかの実施形態において、関連付けられた電力網コンポーネントの１つ以上の状況の測定値を取得することは、１つ以上の局所気象状況の測定値を取得することを含んでもよい。
【００４９】
いくつかの実施形態において、本方法は、コンピュータ装置が他の電力網コンポーネントの１つ以上の状況の測定値を他のコンピュータ装置から受信することをさらに含んでもよい。
【００５０】
いくつかの実施形態において、受信した測定値は、他の電力網コンポーネントの電力消費量データ、電力生成量データ、および局所気象データのうち少なくとも１つを含んでもよい。
【００５１】
いくつかの実施形態において、コンピュータ装置によって予測された電力網コンポーネントの１つ以上の状況の将来状態は、将来の１〜６０分間の状態であってもよい。
【００５２】
いくつかの実施形態において、コンピュータ装置によって予測された電力網コンポーネントの１つ以上の状況の将来状態は、将来の１分未満の状態であってもよい。
【００５３】
いくつかの実施形態において、１つ以上の状況の将来状態を予測することは、時系列予測を使用することを含んでもよい。
【００５４】
いくつかの実施形態において、１つ以上の状況の将来状態は、取得した関連付けられた電力網コンポーネントの１つ以上の状況の測定値に基づいて予測されてもよい。
【００５５】
いくつかの実施形態において、１つ以上の状況の将来状態は、さらに、受信した他の電力網コンポーネントの１つ以上の状況の測定値に基づいて予測されてもよい。
【００５６】
いくつかの実施形態において、１つ以上の状況の将来状態は、さらに、１つ以上の状況に関連する履歴データに基づいて予測されてもよい。
【００５７】
いくつかの実施形態において、方法は、コンピュータ装置によって管理されたデータベースから履歴データを取得することをさらに含んでもよい。
【００５８】
いくつかの実施形態において、予測に基づいて関連付けられた電力網コンポーネントの挙動を協議することは、関連付けられた電力網コンポーネントおよび他の電力網コンポーネントを含む電力網のサブセクションを局所的に最適化することを含んでもよい。
【００５９】
いくつかの実施形態において、電力網のサブセクションを局所的に最適化することは、関連付けられた電力網コンポーネントおよび他の電力網コンポーネントからの総電力生成量を最大化することを含んでもよい。
【００６０】
いくつかの実施形態において、電力網のサブセクションを局所的に最適化することは、関連付けられた電力網コンポーネントおよび他の電力網コンポーネントに関連する総エネルギーコストを最小化することを含んでもよい。
【００６１】
いくつかの実施形態において、電力網のサブセクションを局所的に最適化することは、関連付けられた電力網コンポーネントおよび他の電力網コンポーネントに関連する総エネルギー損失を最小化することを含んでもよい。
【００６２】
いくつかの実施形態において、電力網のサブセクションを局所的に最適化することは、関連付けられた電力網コンポーネントおよび他の電力網コンポーネントの利用可能性を最大化することを含んでもよい。
【００６３】
いくつかの実施形態において、関連付けられた電力網コンポーネントの挙動を協議することは、コンピュータ装置によって自律エージェントを実行することによって、自律エージェントが、仮想市場において、取引アルゴリズムに従って、他のコンピュータ装置によって実行される他の自律エージェントと協議することを含むことができる。
【００６４】
いくつかの実施形態において、予測に基づいて、関連付けられた電力網コンポーネントの挙動を協議することは、コンピュータ装置によってニューラルネットワークを実行することを含んでもよい。
【００６５】
いくつかの実施形態において、ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、および物理ニューラルネットワークのうち１つを含むことができる。
【００６６】
いくつかの実施形態において、関連付けられた電力網コンポーネントは、分散型エネルギー資源であってもよい。
【００６７】
いくつかの実施形態において、分散型エネルギー資源は、再生可能なエネルギー源からの電力を電力網に供給することができる。
【００６８】
いくつかの実施形態において、分散型エネルギー資源は、太陽電池パネルアレイ、風力タービン、水力発電所、バイオマス発電所、地熱発電所、および水素燃料電池発電所のうち少なくとも１つを含んでもよい。
【００６９】
いくつかの実施形態において、関連付けられた電力網コンポーネントは、他の電力網コンポーネントに電気的に接続される配電変電所であってもよい。
【００７０】
いくつかの実施形態において、配電変電所は、１つ以上の変圧器を含んでもよい。
いくつかの実施形態において、本方法は、コンピュータ装置がセントラルコントローラから１つ以上の制約を受信することをさらに含んでもよい。
【００７１】
いくつかの実施形態において、１つ以上の制約は、電力制約、経済制約、気象制約、および時間制約のうち少なくとも１つを含んでもよい。
【００７２】
いくつかの実施形態において、関連付けられた電力網コンポーネントの挙動を協議することは、セントラルコントローラから受信した１つ以上の制約に基づいて挙動を協議することを含んでもよい。
【００７３】
いくつかの実施形態において、この方法は、コンピュータ装置がセントラルコントローラから上書きコマンドを受信することと、コンピュータ装置が上書きコマンドを実行することとをさらに含んでもよい。
【００７４】
いくつかの実施形態において、上書きコマンドは、関連付けられた電力網コンポーネントの電力消費量を低減するためのコマンド、電力網から関連付けられた電力網コンポーネントを切り離すためのコマンド、および関連付けられた電力網コンポーネントの挙動の協議を停止するためのコマンドのうち１つであってもよい。
【００７５】
いくつかの実施形態において、他の電力網コンポーネントに関連付けられた他のコンピュータ装置と無線通信することは、第１サブセットの他のコンピュータ装置と無線通信することによって、第１サブセットの他のコンピュータ装置と協議することを含んでもよい。
【００７６】
いくつかの実施形態において、他の電力網コンポーネントに関連付けられた他のコンピュータ装置と無線通信することは、第１サブセットの他のコンピュータ装置と無線通信した後に、第２サブセットの他のコンピュータ装置と無線通信することによって、第２サブセットの他のコンピュータ装置と協議することをさらに含んでもよい。
【００７７】
いくつかの実施形態において、コンピュータ装置は、第１サブセットの他のコンピュータ装置との協議がコンピュータ装置の最適化計画を満たしてないことに応答して、第２サブセットの他のコンピュータ装置と無線通信することができる。
【００７８】
いくつかの実施形態において、第２サブセットの他のコンピュータ装置は、第１サブセットの他のコンピュータ装置よりもコンピュータ装置から地理的に遠く離れてもよい。
【００７９】
本開示のさらに別の態様によれば、１つ以上の機械可読媒体は、コンピュータ装置によって実行されると、コンピュータ装置に、上記（または本開示の他の場所）に記載された方法のいずれかを実行させる複数の命令を格納する。
【００８０】
本開示に記載された概念は、添付の図面において、例示として示され、限定として示されていない。説明の簡略化および明瞭性のために、図面に示された要素は、必ずしも一定の縮尺で描かれていない。例えば、明瞭性のために、いくつかの要素の寸法は、他の要素に対して拡大されてもよい。さらに、適切な場合、複数の図面に同様の参照ラベルを使用して、対応するまたは類似の要素を示す。詳細な説明は、特に添付の図面を参照する。
【図面の簡単な説明】
【００８１】
【図１】分散型電力網を示す簡略図である。
【図２】図１の各電力網コンポーネントに接続されるコンピュータ装置の少なくとも１つの実施形態を示す簡略ブロック図である。
【図３】図２のコンピュータ装置によって確立され得る環境の少なくとも１つの実施形態を示すブロック図である。
【図４】図２のコンピュータ装置によって実行され得る、図２のコンピュータ装置を用いて図１の電力網の動作を最適化するための方法の少なくとも１つの実施形態を示す簡略フローチャートである。
【図５】図２のコンピュータ装置によって実行され得る、図２のコンピュータ装置を用いて図１の電力網の動作を最適化するための方法の少なくとも１つの実施形態を示す簡略フローチャートである。
【図６】図２のコンピュータ装置によって実行され得る、図２のコンピュータ装置を用いて図１の電力網の動作を最適化するための方法の少なくとも１つの実施形態を示す簡略フローチャートである。
【発明を実施するための形態】
【００８２】
図面の詳細な説明
本開示の概念に対して、様々な修正および代替形態が可能である。本開示の具体的な実施形態は、例示として図面に示され、本明細書において詳細に説明される。理解すべきことは、本開示の概念は、開示された特定の形態に限定されることを意図しておらず、逆に、本開示および添付の特許請求の範囲と一致する全ての変形例、均等物および代替例を含むことを意図していることである。
【００８３】
本明細書において、「１つの実施形態」、「一実施形態」、「例示的実施形態」などを言及する場合、この実施形態は、特定の特徴、構造または特性を含み得ることを意味するが、全ての実施形態は、その特定の特徴、構造または特性を含んでもよく、含まなくてもよい。また、そのような表現は、同一の実施形態を指す必要がない。さらに、留意すべきことは、一実施形態に関連して特定の特徴、構造、または特性を説明する場合、明示的に説明したか否かに関わらず、他の実施形態に関連してその特定の特徴、構造または特性を達成することは、当業者の知識範囲にあることである。
【００８４】
場合によって、開示された実施形態は、ハードウェア、ファームウェア、ソフトウェア、またはこれらの任意の組み合せに実装されてもよい。また、開示された実施形態は、一時的または非一時的なコンピュータ可読記憶媒体によって担持されるまたは格納される命令として実装され、１つ以上のプロセッサによって読み出され、実行されてもよい。コンピュータ可読記憶媒体は、コンピュータ装置によって読み取り可能な形式で情報を記憶または伝送するための任意の記憶装置、メカニズム、または他の物理構造（例えば、揮発性もしくは不揮発性メモリ、メディアディスク、または他のメディア装置）として具現化されてもよい。
【００８５】
図面において、いくつかの構造特徴または方法特徴は、特定の配置および／または順序で示されてもよい。しかしながら、理解すべきことは、特定の配置および／または順序が必要ではないことである。むしろ、いくつかの実施形態において、これらの特徴は、例示的な図面に示される配置および／または順序と異なる配置および／または順序で設けられてもよい。さらに、特定の図面が構造特徴または方法特徴を含む場合、その特徴が全ての実施形態に必要であることを意味しておらず、いくつかの実施形態において、その特徴を含む必要がなく、または他の特徴と組み合わせてもよい。
【００８６】
本開示のシステムおよび方法は、計算を実行するセントラルコントローラに依存することなく、電力網を最適化することができる。特に、本開示のシステムおよび方法は、分散予測および局所最適化提供することができる。電力網の各コンポーネントは、コンピュータ装置を含んでもよい。コンピュータ装置によって、各コンポーネントは、それ自体の予測を決定することができ、同様の能力を有する他のコンポーネントと通信することができる。電力網の１つのセクション内のコンポーネントは、様々な機械学習技術を用いて互いに「協議」することによって、当該セクションを局所的に最適化することができる。分散予測および最適化プロセスは、電力網システムの遅延およびコストを低減する。「最適化する」、「最適化」および類似の用語は、本開示に使用された場合、厳密に最適な状態を達成するまたは求めることを意味しておらず、むしろ、このような用語は、状況（condition）または状態（state）に対して任意レベルの改善（または改善の試み）を「最適化」として意味している。
【００８７】
図１を参照して、分散型電力網１００の１つの例示的な実施形態は、簡略図として示される。電力網１００は、セントラルコントローラ１０２と、配電変電所１０４と、分散型エネルギー資源（「ＤＥＲ」）１０６と、産業負荷１０８と、住宅負荷１１０とを含む。配電変電所１０４、ＤＥＲ１０６、産業負荷１０８、および住宅負荷１１０は、電力網１００のサブセクション１１２に配置される。セントラルコントローラ１０２、配電変電所１０４、ＤＥＲ１０６、産業負荷１０８、および住宅負荷１１０は、互いに電気的に接続される。また、図１の各電力網コンポーネントは、コンピュータ装置２００を含み、このコンピュータ装置２００は、電力網１００内の他のコンピュータ装置２００に通信可能に連結される。サブセクション１１２内の電力網コンポーネント１０４、１０６、１０８、１１０に関連付けられたコンピュータ装置２００は、サブセクション１１２を最適化するために、互いに協議することができる。いくつかの実施形態において、電力網コンポーネントは、サブセクション１１２および最適化プロセスの効率を高めるために、機械学習技術を用いて協議する。
【００８８】
セントラルコントローラ１０２は、本明細書に記載の機能を実行することができる任意の電力網コンポーネントとして具現化されてもよい。この例示的な実施形態において、セントラルコントローラ１０２は、分散型電力網１００を管理する。セントラルコントローラ１０２は、配電変電所１０４、ＤＥＲ１０６、産業負荷１０８および住宅負荷１１０に制約を提供する。いくつかの実施形態において、制約は、電力に関連する制約、経済に関連する制約、気象に関連する制約、時間に関連する制約、または分散型電力網１００を介して送達される電力に影響を与え得る任意の他の要因に関連する制約であってもよい。また、セントラルコントローラ１０２は、配電変電所１０４、ＤＥＲ１０６、産業負荷１０８、または住宅負荷１１０のいずれかに上書きコマンドを発行することができる。いくつかの実施形態において、上書きコマンドは、電力消費量を低減するためのコマンド、電力網からそれ自体を切り離すためのコマンド、最適化プロセスを停止するためのコマンド、または分散型電力網１００を管理するために必要な任意の他のコマンドであってもよい。いくつかの実施形態において、セントラルコントローラ１０２は、図１の他の電力網コンポーネントのうち少なくとも１つとデータを交換することができる。データは、気象測定値、電力消費量記録、履歴データ、協議結果、または電力網１００に関連する任意の他のデータを含んでもよい。いくつかの実施形態において、セントラルコントローラは、石炭発電所、原子力発電所、風力発電所、または電力を生成することができる任意の他の発電所であってもよい。
【００８９】
配電変電所１０４は、本明細書に記載の機能を実行することができる任意の電力網コンポーネントとして具現化されてもよい。配電変電所１０４は、サブセクション１１２内の各電力網コンポーネントをセントラルコントローラ１０２および分散型電力網１００の他の電力網コンポーネントに電気的に接続する。いくつかの実施形態において、配電変電所１０４は、１つ以上の変圧器を含む。配電変電所１０４は、コンピュータ装置２００を含む。配電変電所１０４は、電力消費量に関連するデータを収集することができる。いくつかの実施形態において、配電変電所１０４は、局所気象データを収集することができる。いくつかの実施形態において、配電変電所１０４は、サブセクション１１２に配置された各電力網コンポーネントの電力消費量および電力生成量に関連するデータを収集することができる。配電変電所１０４は、セントラルコントローラおよびサブセクション１１２内の各電力網コンポーネントに通信可能に連結される。配電変電所１０４は、サブセクション１１２内の電力網コンポーネントのうち少なくとも１つと協議することができる。いくつかの実施形態において、配電変電所は、ニューラルネットワークまたは自律エージェントなどの機械学習技術を用いて協議することができる。配電変電所１０４は、サブセクション１１２を最適化するために、他の電力網コンポーネントと協議することができる。いくつかの実施形態において、配電変電所１０４は、サブセクション１１２の外部の電力網コンポーネントと協議することができる。いくつかの実施形態において、配電変電所１０４は、セントラルコントローラ１０２から受信した制約に基づいて、電力網コンポーネントと協議することができる。いくつかの実施形態において、配電変電所は、セントラルコントローラ１０２とデータを交換することができる。データは、気象測定値、電力消費量記録、履歴データ、協議結果、または配電変電所１０４に関連する任意の他のデータを含んでもよい。いくつかの実施形態において、配電変電所１０４は、セントラルコントローラ１０２から上書きコマンドを受信することができる。いくつかの実施形態において、上書きコマンドは、電力消費量を低減するためのコマンド、電力網から配電変電所１０４を切り離すためのコマンド、最適化プロセスを停止するためのコマンド、または分散型電力網１００を管理するために必要な任意の他のコマンドであってもよい。
【００９０】
ＤＥＲ１０６は、本明細書に記載の機能を実行することができる任意の電力網コンポーネントとして具現化されてもよい。ＤＥＲ１０６は、電力を生成し、サブセクション１１２内の各電力網コンポーネントに電気的に接続される。ＤＥＲ１０６は、太陽電池パネルアレイ、風力タービン、水力発電所、バイオマス発電所、地熱発電所、水素燃料電池発電所、または再生可能なエネルギー源から電力を生成する任意の他の発電所として具現化されてもよい。いくつかの実施形態において、ＤＥＲ１０６は、油、石炭、または天然ガスなどの非再生可能なエネルギー源を使用して電力を生成する。ＤＥＲ１０６は、コンピュータ装置２００を含む。ＤＥＲ１０６は、電力消費量および電力生成量に関連するデータを収集することができる。いくつかの実施形態において、ＤＥＲ１０６は、局所気象データを収集することができる。いくつかの実施形態において、ＤＥＲ１０６は、サブセクション１１２に配置された各電力網コンポーネントの電力消費量および電力生成量に関連するデータを収集することができる。ＤＥＲ１０６は、セントラルコントローラおよびサブセクション１１２内の各電力網コンポーネントに通信可能に連結される。ＤＥＲ１０６は、サブセクション１１２内の電力網コンポーネントのうち少なくとも１つと協議することができる。いくつかの実施形態において、配電変電所は、ニューラルネットワークまたは自律エージェントなどの機械学習技術を用いて協議することができる。ＤＥＲ１０６は、サブセクション１１２を最適化するために、他の電力網コンポーネントと協議することができる。いくつかの実施形態において、ＤＥＲ１０６は、サブセクション１１２の外部の電力網コンポーネントと協議することができる。いくつかの実施形態において、ＤＥＲ１０６は、セントラルコントローラ１０２から受信した制約に基づいて、電力網コンポーネントと協議することができる。いくつかの実施形態において、配電変電所は、セントラルコントローラ１０２とデータを交換することができる。データは、気象測定値、電力消費量記録、履歴データ、協議結果、またはＤＥＲ１０６に関連する任意の他のデータを含んでもよい。いくつかの実施形態において、ＤＥＲ１０６は、セントラルコントローラ１０２から上書きコマンドを受信することができる。いくつかの実施形態において、上書きコマンドは、電力消費量を低減するためのコマンド、電力網からＤＥＲ１０６を切り離すためのコマンド、最適化プロセスを停止するためのコマンド、または分散型電力網１００を管理するために必要な任意の他のコマンドであってもよい。
【００９１】
産業負荷１０８は、本明細書に記載の機能を実行することができる任意の電力網コンポーネントとして具現化されてもよい。産業負荷１０８は、電力を消費し、サブセクション１１２内の各電力網コンポーネントに電気的に接続される。産業負荷１０８は、工場、オフィスビル、小売店、倉庫、または任意の他の商業ビルとして具現化されてもよい。いくつかの実施形態において、産業負荷は、太陽電池パネル、風力タービン、または発電機などのＤＥＲを含んでもよい。産業負荷１０８は、コンピュータ装置２００を含む。産業負荷１０８は、電力消費量および／または電力生成量に関連するデータを収集することができる。いくつかの実施形態において、産業負荷１０８は、局所気象データを収集することができる。いくつかの実施形態において、産業負荷１０８は、サブセクション１１２に配置された各電力網コンポーネントの電力消費量および電力生成量に関連するデータを収集することができる。産業負荷１０８は、セントラルコントローラおよびサブセクション１１２内の各電力網コンポーネントに通信可能に連結される。産業負荷１０８は、サブセクション１１２内の電力網コンポーネントのうち少なくとも１つと協議することができる。いくつかの実施形態において、配電変電所は、ニューラルネットワークまたは自律エージェントなどの機械学習技術を用いて協議することができる。産業負荷１０８は、サブセクション１１２を最適化するために、他の電力網コンポーネントと協議することができる。いくつかの実施形態において、産業負荷１０８は、サブセクション１１２の外部の電力網コンポーネントと協議することができる。いくつかの実施形態において、産業負荷１０８は、セントラルコントローラ１０２から受信した制約に基づいて、電力網コンポーネントと協議することができる。いくつかの実施形態において、配電変電所は、セントラルコントローラ１０２とデータを交換することができる。データは、気象測定値、電力消費量記録、履歴データ、協議結果、または産業負荷１０８に関連する任意の他のデータを含んでもよい。いくつかの実施形態において、産業負荷１０８は、セントラルコントローラ１０２から上書きコマンドを受信することができる。いくつかの実施形態において、上書きコマンドは、電力消費量を低減するためのコマンド、電力網から産業負荷１０８を切り離すためのコマンド、最適化プロセスを停止するためのコマンド、または分散型電力網１００を管理するために必要な任意の他のコマンドであってもよい。
【００９２】
住宅負荷１１０は、本明細書に記載の機能を実行することができる任意の電力網コンポーネントとして具現化されてもよい。住宅負荷１１０は、電力を消費し、サブセクション１１２内の各電力網コンポーネントに電気的に接続される。住宅負荷１１０は、戸建て、分譲マンション、都市住宅、または任意の他の種類の住宅ビルに具現化されてもよい。いくつかの実施形態において、住宅負荷は、太陽電池パネル、風力タービン、または他の発電機などのＤＥＲを含んでもよい。住宅負荷１１０は、コンピュータ装置２００を含む。住宅負荷１１０は、電力消費量および電力生成量に関連するデータを収集することができる。いくつかの実施形態において、住宅負荷１１０は、局所気象データを収集することができる。いくつかの実施形態において、住宅負荷１１０は、サブセクション１１２に配置された各電力網コンポーネントの電力消費量および電力生成量に関連するデータを収集することができる。住宅負荷１１０は、セントラルコントローラおよびサブセクション１１２内の各電力網コンポーネントに通信可能に連結される。住宅負荷１１０は、サブセクション１１２内の電力網コンポーネントのうち少なくとも１つと協議することができる。いくつかの実施形態において、配電変電所は、ニューラルネットワークまたは自律エージェントなどの機械学習技術を用いて協議することができる。住宅負荷１１０は、サブセクション１１２を最適化するために、他の電力網コンポーネントと協議することができる。いくつかの実施形態において、住宅負荷１１０は、サブセクション１１２の外部の電力網コンポーネントと協議することができる。いくつかの実施形態において、住宅負荷１１０は、セントラルコントローラ１０２から受信した制約に基づいて、電力網コンポーネントと協議することができる。いくつかの実施形態において、配電変電所は、セントラルコントローラ１０２とデータを交換することができる。データは、気象測定値、電力消費量記録、履歴データ、協議結果、または住宅負荷１１０に関連する任意の他のデータを含んでもよい。いくつかの実施形態において、住宅負荷１１０は、セントラルコントローラ１０２から上書きコマンドを受信することができる。いくつかの実施形態において、上書きコマンドは、電力消費量を低減するためのコマンド、電力網から住宅負荷１１０を切り離すためのコマンド、最適化プロセスを停止するためのコマンド、または分散型電力網１００を管理するために必要な任意の他のコマンドであってもよい。
【００９３】
サブセクション１１２は、電力網の任意のサブセクションとして具現化されてもよい。例示的な実施形態において、電力網１００のサブセクションは、配電変電所１０４と、ＤＥＲ１０６と、産業負荷１０８と、住宅負荷１１０とを含む。いくつかの実施形態において、サブセクション１１２は、発電所、電力変圧器、送電変電所、配電変電所、ＤＥＲ、配電自動化装置、商業／産業消費者、住宅消費者、および他の電力網コンポーネントの任意の組み合わせを含んでもよい。サブセクション１１２内の各電力網コンポーネントは、コンピュータ装置２００を含むことができる。サブセクション１１２内の各電力網コンポーネントは、互いに電気的に且つ通信可能に連結されてもよい。サブセクション１１２内の電力網コンポーネントは、互いに協議することができる。いくつかの実施形態において、配電変電所は、ニューラルネットワークまたは自律エージェントなどの機械学習技術を用いて協議することができる。電力網コンポーネントは、サブセクション１１２を最適化するために協議することができる。
【００９４】
図２を参照して、コンピュータ装置２００は、他のコンピュータ装置と協議し、本明細書に記載の機能を実行することができる任意のコンピュータ装置として具現化されてもよい。例えば、コンピュータ装置２００は、限定することなく、ラズベリーパイ、タブレットコンピュータ、ノートブックコンピュータ、ラップトップコンピュータ、組込みコンピューティングシステム、サーバコンピュータ、システムオンチップ（ＳｏＣ）、マルチプロセッサシステム、プロセッサベースのシステム、家庭用電子機器、スマートフォン、携帯電話、デスクトップコンピュータ、ネットワーク装置、ネットワークコンピュータ、ウェアラブルコンピュータ、ハンドセット、メッセージング装置、カメラ装置、および／または任意の他のコンピュータ装置として具現化されてもよく、またはそれに含まれてもよい。例示的なコンピュータ装置２００は、プロセッサ２０２と、メモリ２０４と、入力／出力（Ｉ／Ｏ）サブシステム２０６と、データストレージ２０８と、通信システム２１０とを含む。例示的なコンピュータ装置２００は、センサ２１２およびＤＥＲ２１４に接続される。いくつかの実施形態において、コンピュータ装置２００の１つ以上の例示的な構成要素は、別の構成要素に組み込まれてもよく、または別の構成要素の一部を形成してもよい。例えば、いくつかの実施形態において、メモリ２０４またはその一部は、プロセッサ２０２に組み込まれてもよい。いくつかの実施形態において、センサ２１２およびＤＥＲ２１４は、コンピュータ装置２００に含まれてもよい。
【００９５】
プロセッサ２０２は、本明細書に記載の機能を実行することができる任意のプロセッサとして具現化されてもよい。例えば、プロセッサ２０２は、シングルコアもしくはマルチコアプロセッサ、シングルソケットもしくはマルチソケットプロセッサ、デジタル信号プロセッサ、グラフィックプロセッサ、マイクロコントローラ、または他のプロセッサもしくは処理／制御回路として具現化されてもよい。同様に、メモリ２０４は、本明細書に記載の機能を実行することができる任意の揮発性メモリ、不揮発性メモリ、またはデータストレージとして具現化されてもよい。動作時、メモリ２０４は、コンピュータ装置２００の動作時に使用される様々なデータおよびソフトウェア、例えば、オペレーティングシステム、アプリケーション、プログラム、ライブラリおよびドライバなどを記憶することができる。メモリ２０４は、Ｉ／Ｏサブシステム２０６を介してプロセッサ２０２に通信可能に連結される。Ｉ／Ｏサブシステム２０６は、プロセッサ２０２、メモリ２０４およびコンピュータ装置２００の他の構成要素との入出力操作を容易にするための回路および／または部品として具現化されてもよい。例えば、Ｉ／Ｏサブシステム２０６は、メモリ制御ハブ、入力／出力制御ハブ、ファームウェア装置、通信リンク（すなわち、ポイントツーポイントリンク、バスリンク、ワイヤ、ケーブル、光導体、プリント回路基板トレースなど）、および／または入力／出力動作を容易にするための他のコンポーネントおよびサブシステムとして具現化されてもよく、またはそれを含んでもよい。いくつかの実施形態において、Ｉ／Ｏサブシステム２０６は、システムオンチップ（ＳｏＣ）の一部を形成してもよく、コンピュータ装置２００のプロセッサ２０２、メモリ２０４および他の構成要素と共に単一の集積回路チップ上に組み込まれてもよい。
【００９６】
データストレージ２０８は、データの短期記憶または長期記憶を行うように構成された任意の装置として具現化されてもよい。例えば、データストレージ２０８は、任意の１つ以上のメモリ装置および回路、メモリカード、ハードディスクドライブ、ソリッドステートドライブ、または他のデータストレージ装置を含んでもよい。
【００９７】
また、コンピュータ装置２００は、ネットワークを介してコンピュータ装置２００と他の遠隔装置との間の通信を提供することができる任意の通信回路、通信装置、またはそれらの集合として具現化され得る通信サブシステム２１０を含む。例えば、通信サブシステム２１０は、遠隔装置との間にネットワークデータを送信および／または受信するためのネットワークインターフェイスコントローラ（ＮＩＣ）として具現化されてもよく、またはそれを含んでもよい。通信サブシステム２１０は、通信を実現するために、任意の１つ以上の通信技術（例えば、有線通信または無線通信）および関連するプロトコル（例えば、イーサネット（登録商標）、インフィニバンド（登録商標）、ブルートゥース（登録商標）、Ｗｉ−Ｆｉ（登録商標）、ＷｉＭＡＸ、３Ｇ、４Ｇ  ＬＴＥ、５Ｇなど）を使用するように構成されてもよい。
【００９８】
センサ２１２は、入力信号の中でも特に、電力網コンポーネントの電力生成量、電力網コンポーネントの電力消費量、および／または電力網コンポーネントの周囲の気象および温度を示す１つ以上の入力信号を生成することができる任意の１つ以上のセンサとして具現化されてもよい。例示的な実施形態において、センサ２１２は、電圧センサ、電流センサ、温度センサ、風速センサ、湿度センサを含んでもよい。以下のコンピュータ装置の機能を実行するために、追加のセンサ２１２を含んでもよい。
【００９９】
ＤＥＲ１０６は、コンピュータ装置２００に電気的に接続される任意の分散型電源として具現化されてもよい。一例として、ＤＥＲ１０６は、太陽電池パネル、水力システム、風力タービン、地熱発電システム、バイオマス発電システム、ディーゼル発電機、および／または電力を生成および／または蓄積することができる他のシステムを含むことができる。
【０１００】
図３を参照して、例示的な一実施形態において、コンピュータ装置２００は、動作中に環境３００を確立する。例示的な環境３００は、予測決定部３０２と、通信コントローラ３０４と、協議コントローラ３０６と、電力出力／消費コントローラ３０８と、履歴データベース３１０とを含む。環境３００の様々な構成要素は、ハードウェア、ソフトウェア、ファームウェア、またはそれらの組み合わせとして具現化されてもよい。例えば、環境３００の様々な構成要素は、コンピュータ装置２００のプロセッサ２０２または他のハードウェア要素の一部を形成してもよく、またはそれによって確立されてもよい。したがって、いくつかの実施形態において、環境３００１つ以上の構成要素は、電気装置の回路または集合（例えば、予測決定回路３０２、通信コントローラ回路３０４など）として具現化されてもよい。このような実施形態において、１つ以上の回路（例えば、予測決定回路３０２、通信コントローラ回路３０４など）は、コンピュータ装置２００のプロセッサ２０２、メモリ２０４、Ｉ／Ｏサブシステム２０６、通信システム２１０、データストレージ２０８、特定用途向け集積回路（ＡＳＩＣ）、フィールドプログラマブルゲートアレイ（ＦＰＧＡ）などのプログラマブル回路、および／または他の構成要素のうち１つ以上の一部を形成してもよい。例えば、協議コントローラ３０６は、プロセッサ２０２、並びにデータストレージ２０８および／またはメモリ２０４に記憶され、プロセッサ２０２によって実行され得る命令として具現化されてもよい。また、いくつかの実施形態において、１つ以上の例示的な構成要素は、別の構成要素の一部分を形成してもよく、および／または１つ以上の例示的な構成要素は、互いに独立してもよい。さらに、いくつかの実施形態において、環境３００の１つ以上の構成要素は、コンピュータ装置２００のプロセッサ２０２または他の構成要素によって確立および管理され得る、仮想化ハードウェア構成要素または擬似アーキテクチャとして具現化されてもよい。環境３００の１つ以上の構成要素の機能の一部は、ハードウェアによって実現されてもよい。この場合、その機能を実現する構成要素は、少なくとも部分的にハードウェアとして実装される。
【０１０１】
上述したハードウェア、ファームウェア、ソフトウェア、仮想化ハードウェア、擬似アーキテクチャ、および／またはそれらの組み合わせとして具現化され得る予測決定部３０２は、コンピュータ装置２００に接続された電力網コンポーネントの電力生成量および消費量を予測するように構成される。予測決定部３０２は、接続された電力網コンポーネントの現在の電力出力量および現在の電力消費量を決定することができる。次いで、予測決定部３０２は、センサ２１２からデータを取得することができる。いくつかの実施形態において、予測決定部３０２は、電圧レベル、電流レベルおよび気象データ、例えば温度、風速および湿度に関連するデータを取得することができる。いくつかの実施形態において、予測決定部３０２は、セントラルコントローラ１０２から気象データを受信することができる。いくつかの実施形態において、予測決定部３０２は、別のソースから気象予測をダウンロードすることができる。次いで、予測決定３０２は、現在の日付および時刻を決定することができる。いくつかの実施形態において、予測決定３０２は、コンピュータ装置２００の内部カレンダおよび時計を読み取ることによって、現在の日付および時刻を決定することができる。次いで、予測決定３０２は、履歴データベース３１０から履歴データを取得することができる。予測決定部３０２は、現在の電力生成量、現在の電力消費量、取得されたセンサデータ、気象、現在の日付および現在の時刻に部分的に基づいて、履歴データを取得することができる。履歴データは、同様の制約下で典型的な電力出力／消費レベルを記述することができる。いくつかの実施形態において、履歴データは、人間の行動を定義することができる。次いで、予測決定部３０２は、少なくとも履歴データ、現在の電力出力量、現在の電力消費量、取得されたセンサデータ、気象、現在の日付および／または現在の時刻に基づいて、予測を決定することができる。予測決定部３０２は、任意の適切な予測技術を用いて、分単位を含む任意の期間の予測を決定することができる。いくつかの実施形態において、コンピュータ装置２００は、将来の１〜６０分間の予測を決定することができる。いくつかの実施形態において、予測決定部３０２は、時系列予測技術を使用することができる。予測判定部３０２は、異常を検出することができる。いくつかの実施形態において、予測決定部３０２は、機械学習技術を用いて異常を検出することができる。予測判定部３０２は、異常に対処することができる。いくつかの実施形態において、予測決定部３０２は、電力網コンポーネントによって消費または生成された電力量を調節することによって、異常に対処することができる。
【０１０２】
上述したハードウェア、ファームウェア、ソフトウェア、仮想化ハードウェア、擬似アーキテクチャ、および／またはそれらの組み合わせとして具現化され得る通信コントローラ３０４は、サブセクション１１２内の他の電力網コンポーネントとの通信リンクを確立するように構成される。いくつかの実施形態において、通信コントローラ３０４は、サブセクション１１２の外部の電力網コンポーネントとの通信リンクを確立することができる。いくつかの実施形態において、通信チャネルは、５Ｇ通信プロトコルを用いて確立されてもよい。
【０１０３】
上述したハードウェア、ファームウェア、ソフトウェア、仮想化ハードウェア、擬似アーキテクチャ、および／またはそれらの組み合わせとして具現化され得る協議コントローラ３０６は、サブセクション１１２内の他の電力網コンポーネントと協議するように構成される。いくつかの実施形態において、協議コントローラ３０６は、サブセクション１１２の外部の電力網コンポーネントと協議する。協議コントローラ３０６は、サブセクション１１２を最適化するために、他の電力網コンポーネントと協議する。協議コントローラ３０６は、最適化コントローラ３１２、ニューラルネットワークコントローラ３１４、および／または自律エージェントコントローラ３１６を含むことができる。
【０１０４】
最適化コントローラ３１２は、最適化計画を制御するように構成される。最適化計画は、サブセクション１１２を最適化するための計画を定義する。いくつかの実施形態において、最適化計画は、最大電力を生成するために、サブセクション１１２内の電力網コンポーネントを最適化すべきであることを規定することができる。いくつかの実施形態において、最適化計画は、エネルギーコストおよびエネルギー損失を低減するために、サブセクション１１２内の電力網コンポーネントを最適化すべきであることを規定することができる。いくつかの実施形態において、最適化計画は、信頼性、利用可能性または回復性を最大化するために、サブセクション１１２内の電力網コンポーネントを最適化すべきであることを規定することができる。いくつかの実施形態において、最適化計画は、予め定義された重要業績評価指標（ＫＰＩ）に基づいて調整されてもよい。最適化コントローラ３１２は、セントラルコントローラから受信した制約に基づいて、最適化計画を構成することができる。最適化コントローラ３１２は、ＤＥＲ２１４の電力生成量に基づいて、最適化計画を構成することができる。いくつかの実施形態において、最適化コントローラ３１２は、サブセクション１１２内の他のコンピュータ装置２００の最適化計画に基づいて、最適化計画を変更することができる。最適化コントローラ３１２が最適化計画を定義した後、ニューラルネットワークコントローラ３１４および自律エージェントコントローラ３１６は、他のコンピュータ装置２００と協議することによって、最適化計画を実行する。
【０１０５】
ニューラルネットワークコントローラ３１４は、ニューラルネットワークを介して他のコンピュータ装置２００と協議するように構成される。ニューラルネットワークコントローラ３１４は、サブセクション１１２を最適化するために、最適化計画に基づいて他のコンピュータ装置と協議することができる。ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、物理ニューラルネットワーク、または任意の他のニューラルネットワークとして具現化されてもよい。ニューラルネットワークコントローラ３１４は、ネットワークトレーナを含んでもよい。ネットワークトレーナは、トレーニングアルゴリズムを用いて、ニューラルネットワークをトレーニングするように構成される。トレーニングアルゴリズムは、１つ以上の構成パラメータで構成される。いくつかの実施形態において、構成パラメータは、履歴データに依存する。いくつかの実施形態において、構成パラメータは、セントラルコントローラ１０２から受信した制約に依存する。ネットワークトレーナは、ニューラルネットワークのトレーニングに応答して時系列の部分精度値を取り込むようにさらに構成される。各々の部分精度値は、トレーニング反復に関連するニューラルネットワーク精度を示す。ネットワークトレーナは、トレーニングアルゴリズムの複数の並列インスタンスを用いて、ニューラルネットワークをトレーニングするようにさらに構成されてもよい。トレーニングアルゴリズムの各並列インスタンスは、１つ以上の構成パラメータの異なるセットで構成される。ネットワークトレーナは、トレーニングアルゴリズムの各並列インスタンスのために、時系列の部分精度値を取り込むするようにさらに構成されてもよい。いくつかの実施形態において、ネットワークトレーナは、複数の分散コンピューティングノード上で、トレーニングアルゴリズムを用いてニューラルネットワークを並列にトレーニングするようにさらに構成されてもよい。各コンピューティングノードのトレーニングアルゴリズムは、１つ以上の構成パラメータの異なるセットで構成される。
【０１０６】
自律エージェントコントローラ３１６は、自律エージェントを用いて他のコンピュータ装置と協議するように構成される。自律エージェントは、サブセクション１１２を最適化するために、最適化計画に基づいて他のコンピュータ装置と協議することができる。自律エージェントは、その電力網コンポーネントと共に、仮想市場上のコンピュータ装置２００を表す。自律エージェントは、余剰エネルギーまたは不足エネルギーをサブセクション１１２内の他のコンピュータ装置２００のエージェントと「取引」する。自律エージェントは、取引アルゴリズムに従って「取引」する。いくつかの実施形態において、取引アルゴリズムは、コンピュータ装置２００に接続された電力網コンポーネントの需要に依存する。いくつかの実施形態において、取引アルゴリズムは、最適化計画に依存する。
【０１０７】
上述したハードウェア、ファームウェア、ソフトウェア、仮想化ハードウェア、擬似アーキテクチャ、および／またはそれらの組み合わせとして具現化され得る電力出力／消費コントローラ３０８は、協議結果に基づいて、電力網コンポーネントの電力消費量および／または電力生成量を調整するように構成される。例えば、電力出力／消費コントローラ３０８は、サブセクション１１２からＤＥＲ２１４を切り離すことができ、または電力出力／消費コントローラ３０８は、電力網コンポーネントのエネルギー消費を低減することができる。いくつかの実施形態において、電力出力／消費コントローラ３０８は、セントラルコントローラ１０２から上書きコマンドを受信し、コマンドに従って動作することができる。例えば、電力出力／消費コントローラ３０８は、サブセクション１１２が損傷したときに、コマンドを受信して、電力網からＤＥＲ２１４を切り離すことができる。
【０１０８】
上述したハードウェア、ファームウェア、ソフトウェア、仮想化ハードウェア、擬似アーキテクチャ、および／またはそれらの組み合わせとして具現化され得る履歴データベース３１０は、履歴データを記憶するように構成される。履歴データは、気象および時刻などの様々な状況下の電力生成量および電力消費量の記録を含んでもよい。いくつかの実施形態において、履歴データは、過去の最適化計画を含んでもよい。履歴データベース３１０は、セントラルコントローラ１０２または他のコンピュータ装置２００から受信した履歴データを含んでもよい。
【０１０９】
図４〜６を参照して、コンピュータ装置２００は、使用されると、サブセクション１１２を最適化するための方法４００を実行することができる。方法４００は、ブロック４０２から開始する。ブロック４０２において、コンピュータ装置２００は、セントラルコントローラから制約およびデータを受信する。受信した制約は、サブセクション１１２を最適化する方法を規定することができる。例えば、受信した制約は、サブセクション１１２の動作コストをできるだけ低く維持すべきことを規定することができる。受信した制約は、サブセクション１１２の電力生成量を最大化すべきであることを規定することができる。いくつかの実施形態において、受信したデータは、サブセクション１１２の気象データを含む。いくつかの実施形態において、受信したデータは、履歴データベース３１０に格納される履歴データを含む。
【０１１０】
ブロック４０４において、コンピュータ装置２００は、コンピュータ装置２００に関連付けられた電力網コンポーネントの現在の電力出力量および／または現在の電力消費量を監視する。電力は、ＤＥＲ２１４によって生成されてもよい。ＤＥＲ２１４は、太陽電池パネル、水力システム、風力タービン、地熱発電システム、バイオマス発電システム、ディーゼル発電機、および／または電力を生成および／または蓄積することができる任意の他のシステムとして具現化されてもよい。いくつかの実施形態において、コンピュータ装置２００は、他の電力網コンポーネントの現在の電力出力量および／または現在の電力消費量を監視することができる。例えば、配電変電所１０４は、ＤＥＲ１０６、産業負荷１０８および住宅負荷１１０の現在の電力出力量および現在の電力消費量を監視することができる。
【０１１１】
ブロック４０６において、コンピュータ装置２００は、異常を検出したか否かを判断することができる。コンピュータ装置２００は、機械学習技術を用いて異常を検出することができる。コンピュータ装置２００が異常を検出した場合、方法は、ブロック４０８に進む。ブロック４０８において、コンピュータ装置２００は、異常に対処する。いくつかの実施形態において、コンピュータ装置は、電力網コンポーネントによって消費または生成された電力量を調整することによって、異常に対処する。コンピュータ装置２００が異常を検出していない場合、方法は、ブロック４１０に進む。
【０１１２】
ブロック４１０において、コンピュータ装置２００は、センサ２１２からデータを取得することができる。データは、電圧、電流、温度、風速、湿度レベル、または電力網に関連する任意の他の制約を示すことができる。
【０１１３】
ブロック４１２において、コンピュータ装置２００は、現在の日付および時刻を決定することができる。いくつかの実施形態において、コンピュータ装置２００は、内部カレンダおよび時計を読み取ることによって、現在の日付および時刻を決定することができる。
【０１１４】
ブロック４１４において、コンピュータ装置２００は、履歴データベース３１０から履歴データを取得することができる。コンピュータ装置２００は、現在の電力生成量、現在の電力消費量、取得されたセンサデータ、気象、現在の日付および現在時刻に部分的に基づいて、履歴データを取得することができる。履歴データは、同様の制約下の電力網コンポーネントの典型的な電力出力／消費レベルを記述することができる。いくつかの実施形態において、履歴データは、人間の行動を示すことができる。
【０１１５】
ブロック４１６において、コンピュータ装置２００は、電力網コンポーネントの予測を決定することができる。次いで、コンピュータ装置２００は、少なくとも履歴データ、現在の電力出力量、現在の電力消費量、取得されたセンサデータ、気象、現在の日付および／または現在の時刻に基づいて、予測を決定することができる。コンピュータ装置２００は、任意の適切な予測技術を用いて、分単位を含む任意の期間の予測を決定することができる。いくつかの実施形態において、コンピュータ装置２００は、将来の１〜６０分間の予測を決定することができる。いくつかの実施形態において、コンピュータ装置２００は、時系列予測技術を使用することができる。
【０１１６】
図５を参照して、ブロック４１８において、コンピュータ装置２００は、最適化計画を決定することができる。最適化計画は、サブセクションを最適化するための計画を定義する。いくつかの実施形態において、最適化計画は、最大電力を生成するために、サブセクション内の電力網コンポーネントを最適化すべきであることを規定することができる。いくつかの実施形態において、最適化計画は、エネルギーコストおよびエネルギー損失を低減するために、サブセクション内の電力網コンポーネントを最適化すべきであることを規定することができる。いくつかの実施形態において、最適化計画は、信頼性、利用可能性または回復性を最大化するために、サブセクション内の電力網コンポーネントを最適化すべきであることを規定することができる。いくつかの実施形態において、最適化計画は、予め定義された重要業績評価指標に基づいて調整されてもよい。コンピュータ装置２００は、セントラルコントローラから受信した制約に基づいて、最適化計画を構成することができる。コンピュータ装置２００は、ＤＥＲ１０６の電力生成量に基づいて、最適化計画を構成することができる。いくつかの実施形態において、コンピュータ装置２００は、サブセクション１１２内の他のコンピュータ装置２００の最適化計画に基づいて、最適化計画を変更することができる。
【０１１７】
ブロック４２０において、コンピュータ装置２００は、第１サブセットの電力網コンポーネントとの通信リンクを確立することができる。第１サブセットの電力網コンポーネントは、電力網の第１サブセット内の全ての電力網コンポーネントとして定義される。いくつかの実施形態において、通信チャネルは、５Ｇ通信プロトコルを用いて確立される。
【０１１８】
ブロック４２２において、コンピュータ装置２００は、第１サブセットの電力網コンポーネントとの協議を開始する。コンピュータ装置２００は、最適化計画を実行するために、第１サブセットの電力網コンポーネントと協議する。協議は、ニューラルネットワーク、自律エージェント、または任意の他の協議方法を用いて実現されてもよい。ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、物理ニューラルネットワーク、または任意の他のニューラルネットワークとして具現化されてもよい。協議は、コンピュータ装置２００が電力網コンポーネントに対して実現することができる可能な電力変更をもたらす。
【０１１９】
ブロック４２４において、コンピュータ装置２００は、可能な電力変更がセントラルコントローラ１０２から受信した任意の制約と競合するか否かを判断する。可能な電力変更がセントラルコントローラ１０２の制約と競合する場合、方法４００は、図６のブロック４２８に進む。可能な電力変更がセントラルコントローラの制約と競合しない場合、方法４００は、ブロック４２６に進む。
【０１２０】
ブロック４２６において、コンピュータ装置２００は、接続された電力網コンポーネントに対して可能な電力変更を実行する。いくつかの実施形態において、コンピュータ装置は、電力網の第１のサブセクションからＤＥＲ２１４を切り離すことができる。いくつかの実施形態において、コンピュータ装置２００は、接続された電力網コンポーネントのエネルギー消費量を低減することができる。
【０１２１】
図６を参照して、ブロック４２８において、コンピュータ装置２００は、より離れた電力網コンポーネントとの最適化プロセスを開始するか否かを判断する。いくつかの実施形態において、ブロック４２８の判断は、コンピュータ装置２００が第１サブセットの電力網コンポーネントと協議することによって最適化計画を首尾よく実行したか否かを評価することを含んでもよい。そうでない場合、コンピュータ装置２００は、最適化計画を実行するために、より離れた電力網コンポーネントと協議することを決定することができる。この場合、方法４００は、ブロック４３０に進む。コンピュータ装置２００がより離れた電力網コンポーネントと協議しないと決定した場合、方法４００は、ブロック４３８に進む。
【０１２２】
ブロック４３０において、コンピュータ装置２００は、第２サブセットの電力網コンポーネントとの通信リンクを確立する。第２サブセットの電力網コンポーネントは、電力網の第２サブセット内の全ての電力網コンポーネントとして定義される。いくつかの実施形態において、通信チャネルは、５Ｇ通信プロトコルを用いて確立される。
【０１２３】
ブロック４３２において、コンピュータ装置２００は、第２サブセットの電力網コンポーネントとの協議を開始する。コンピュータ装置２００は、最適化計画を実行するために、第２サブセットの電力網コンポーネントと協議する。協議は、ニューラルネットワーク、自律エージェント、または任意の他の協議方法を用いて実現されてもよい。ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、物理ニューラルネットワーク、または任意の他のニューラルネットワークとして具現化されてもよい。協議は、コンピュータ装置２００が電力網コンポーネントに対して実施することができる可能な電力変更をもたらす。
【０１２４】
ブロック４３４において、コンピュータ装置２００は、可能な電力変更がセントラルコントローラ１０２から受信した任意の制約と競合するか否かを判断する。可能な電力変更がセントラルコントローラの制約と競合する場合、方法４００は、ブロック４２８に進む。可能な電力変更がセントラルコントローラの制約と競合しない場合、方法４００は、ブロック４３６に進む。
【０１２５】
ブロック４３６において、コンピュータ装置２００は、接続された電力網コンポーネントに対して可能な電力変更を実施する。いくつかの実施形態において、コンピュータ装置は、電力網の第２のサブセクションからＤＥＲ２１４を切り離すことができる。いくつかの実施形態において、コンピュータ装置２００は、接続された電力網コンポーネントのエネルギー消費量を低減することができる。次いで、方法４００は、ブロック４２８に戻る。
【０１２６】
ブロック４３８において、コンピュータ装置２００は、セントラルコントローラ１０２からコマンド（例えば、上書きコマンド）を受信したか否かを判断する。コンピュータ装置２００がセントラルコントローラ１０２からコマンドを受信した場合、方法４００は、ブロック４４０に進む。ブロック４４０において、コンピュータ装置２００は、受信したコマンドに基づいて、現在の電力消費量および／または電力出力量を変更する。いくつかの実施形態において、コマンドは、電力消費量を低減するためのコマンド、電力網からコンピュータ装置２００を切り離すためのコマンド、最適化プロセスを停止するためのコマンド、または電力網のサブセクションを管理するために必要な任意の他のコマンドであってもよい。一方、ブロック４３８において、コンピュータ装置２００がセントラルコントローラ１０２からコマンドを受信していない場合、方法４００は、ブロック４４２に進む。ブロック４４２において、コンピュータ装置２００は、以前に確立された電力消費量および／または電力出力量を継続する。次いで、方法４００は、ブロック４０２に戻る。
【０１２７】
図面および上記の説明において本開示を詳細に例示および説明してきたが、これらの例示および説明は、例示的なものであり、限定的なものではないと考えられるべきである。理解すべきことは、例示的な実施形態のみを図示および説明しており、本開示の精神の範囲に含まれる全ての変更および修正が保護されることである。
【０１２８】
本明細書に記載された方法、装置およびシステムの様々な特徴は、複数の利点を有する。本開示の方法、装置およびシステムの代替的な実施形態は、記載された全ての特徴を含まなくても、少なくともいくつかの利点を達成することができる。当業者は、本発明の１つ以上の特徴を含む方法、装置およびシステムを考案することができ、これらの方法、装置およびシステムは、添付の特許請求の範囲によって定義される本開示の精神および範囲に含まれる。
【図１】
2021529502.tif 000003
【図２】
2021529502.tif 000004
【図３】
2021529502.tif 000005
【図４】
2021529502.tif 000006
【図５】
2021529502.tif 000007
【図６】
2021529502.tif 000008
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
方法であって、
コンピュータ装置が、前記コンピュータ装置に関連付けられた電力網コンポーネントの１つ以上の状況の測定値を取得することと、
前記コンピュータ装置が、前記コンピュータ装置に関連付けられた電力網コンポーネントの前記１つ以上の状況の将来状態を予測することと、
前記コンピュータ装置が、他の電力網コンポーネントに関連付けられた他のコンピュータ装置と通信することによって、前記予測に基づいて、前記コンピュータ装置に関連付けられた電力網コンポーネントの挙動を協議することとを含む、方法。
【請求項２】
前記コンピュータ装置は、他の電力網コンポーネントに関連付けられた前記他のコンピュータ装置と無線通信することによって、前記予測に基づいて、前記コンピュータ装置に関連付けられた前記電力網コンポーネントの挙動を協議する、請求項１に記載の方法。
【請求項３】
各コンピュータ装置は、自身に関連付けられた電力網コンポーネントに通信可能に連結され、または各コンピュータ装置は、自身に関連付けられた電力網コンポーネントと一体化される、請求項１または２に記載の方法。
【請求項４】
前記関連付けられた電力網コンポーネントの前記１つ以上の状況の測定値を取得することは、前記関連付けられた電力網コンポーネントに取り付けられた１つ以上のセンサから測定値を受信することを含み、
特に前記１つ以上のセンサは、電圧センサ、電流センサ、温度センサ、風速センサ、および湿度センサのうち少なくとも１つを含む、請求項１から３のいずれか一項に記載の方法。
【請求項５】
前記関連付けられた電力網コンポーネントの前記１つ以上の状況の測定値を取得することは、前記関連付けられた電力網コンポーネントの電力消費量、前記関連付けられた電力網コンポーネントの電力生成量、または１つ以上の局所気象状況のうち少なくとも１つの測定値を取得することを含む、請求項１から３のいずれか一項に記載の方法。
【請求項６】
前記コンピュータ装置が前記他のコンピュータ装置から前記他の電力網コンポーネントの１つ以上の状況の測定値を受信することをさらに含み、
特に受信した前記測定値は、前記他の電力網コンポーネントの電力消費量データ、電力生成量データ、および局所気象データのうち少なくとも１つを含む、請求項１から５のいずれか一項に記載の方法。
【請求項７】
前記コンピュータ装置によって予測された前記電力網コンポーネントの前記１つ以上の状況の前記将来状態は、将来の１〜１６分間の状態または将来の１分未満の状態である、請求項１から６のいずれか一項に記載の方法。
【請求項８】
前記１つ以上の状況の前記将来状態を予測することは、時系列予測を使用することを含む、請求項１から７のいずれか一項に記載の方法。
【請求項９】
前記１つ以上の状況の前記将来状態は、取得した前記関連付けられた電力網コンポーネントの前記１つ以上の状況の前記測定値、取得した前記関連付けられた電力網コンポーネントの前記１つ以上の状況の前記測定値および受信した前記他の電力網コンポーネントの前記１つ以上の状況の前記測定値、取得した前記関連付けられた電力網コンポーネントの前記１つ以上の状況の前記測定値および前記１つ以上の状況に関連する履歴データ、または取得した前記関連付けられた電力網コンポーネントの前記１つ以上の状況の前記測定値、受信した前記他の電力網コンポーネントの前記１つ以上の状況の前記測定値および前記１つ以上の状況に関連する履歴データのうち１つに基づいて予測される、請求項１から８のいずれか一項に記載の方法。
【請求項１０】
前記予測に基づいて、前記関連付けられた電力網コンポーネントの前記挙動を協議することは、前記関連付けられた電力網コンポーネントおよび前記他の電力網コンポーネントを含む電力網のサブセクションを局所的に最適化することを含む、請求項１から９のいずれか一項に記載の方法。
【請求項１１】
前記電力網の前記サブセクションを局所的に最適化することは、前記関連付けられた電力網コンポーネントおよび前記他の電力網コンポーネントからの総電力生成量を最大化すること、前記関連付けられた電力網コンポーネントおよび前記他の電力網コンポーネントに関連する総エネルギーコストを最小化すること、前記関連付けられた電力網コンポーネントおよび前記他の電力網コンポーネントに関連する総エネルギー損失を最小化すること、または前記関連付けられた電力網コンポーネントおよび前記他の電力網コンポーネントの利用可能性を最大化することのうち少なくとも１つを含む、請求項１０に記載の方法。
【請求項１２】
前記関連付けられた電力網コンポーネントの前記挙動を協議することは、前記コンピュータ装置が自律エージェントを実行すると、前記自律エージェントが、仮想市場において、取引アルゴリズムに従って、他のコンピュータ装置によって実行される他の自律エージェントと協議することまたは前記コンピュータ装置がニューラルネットワークを実行することのうち少なくとも１つを含み、
特に前記ニューラルネットワークは、フィードフォワードニューラルネットワーク、ラジアル基底関数ニューラルネットワーク、クローン自己組織化ニューラルネットワーク、リカレントニューラルネットワーク、モジュラーニューラルネットワーク、および物理ニューラルネットワークのうち１つを含む、請求項１から１１のいずれか一項に記載の方法。
【請求項１３】
前記関連付けられた電力網コンポーネントは、分散型エネルギー資源であり、
特に前記分散型エネルギー資源は、再生可能なエネルギー源からの電力を電力網に供給し、または前記分散型エネルギー資源は、太陽電池パネルアレイ、風力タービン、水力発電所、バイオマス発電所、地熱発電所、および水素燃料電池発電所のうち少なくとも１つを含む、請求項１から１２のいずれか一項に記載の方法。
【請求項１４】
前記関連付けられた電力網コンポーネントは、前記他の電力網コンポーネントに電気的に接続される配電変電所である、請求項１から１２のいずれか一項に記載の方法。
【請求項１５】
前記コンピュータ装置がセントラルコントローラから１つ以上の制約を受信することをさらに含み、
特に前記１つ以上の制約は、電力制約、経済制約、気象制約、および時間制約のうち少なくとも１つを含む、請求項１から１４のいずれか一項に記載の方法。
【請求項１６】
前記関連付けられた電力網コンポーネントの前記挙動を協議することは、前記セントラルコントローラから受信した前記１つ以上の制約に基づいて前記挙動を協議することを含む、請求項１５に記載の方法。
【請求項１７】
前記コンピュータ装置が前記セントラルコントローラから上書きコマンドを受信することと、
前記コンピュータ装置が前記上書きコマンドを実行することとをさらに含み、
特に前記上書きコマンドは、前記関連付けられた電力網コンポーネントの電力消費量を低減するためのコマンド、前記電力網から前記関連付けられた電力網コンポーネントを切り離すためのコマンド、および前記関連付けられた電力網コンポーネントの前記挙動の前記協議を停止するためのコマンドのうち１つである、請求項１５から１７のいずれか一項に記載の方法。
【請求項１８】
前記他の電力網コンポーネントに関連付けられた前記他のコンピュータ装置と通信することは、第１サブセットの前記他のコンピュータ装置と通信することによって、前記第１サブセットの前記他のコンピュータ装置と協議することを含む、請求項１から１７のいずれか一項に記載の方法。
【請求項１９】
前記他の電力網コンポーネントに関連付けられた前記他のコンピュータ装置と通信することは、前記第１サブセットの前記他のコンピュータ装置と無線通信した後、第２サブセットの前記他のコンピュータ装置と無線通信することによって、前記第２サブセットの前記他のコンピュータ装置と協議することをさらに含み、
特に前記コンピュータ装置は、前記第１サブセットの前記他のコンピュータ装置との協議が前記コンピュータ装置の最適化計画を満たしていないことに応答して、前記第２サブセットの前記他のコンピュータ装置と通信する、請求項１８に記載の方法。
【請求項２０】
複数の命令を格納するための１つ以上の機械可読媒体であって、前記命令は、コンピュータ装置によって実行されると、前記コンピュータ装置に、請求項１から１９のいずれか一項に記載の方法を実行させる、機械可読媒体。
【国際調査報告】
2021529502.tif 000009
2021529502.tif 000010